(57)【要約】      （修正有）【課題】清潔で耐久性があり、個性的に装飾することが可能な着せ替え便ふたを提供する。【解決手段】便器３に取り付け使用される便座２において、該便座に２箇所の接合部で取り付けられ、前記便座の上面を覆う着脱可能な便ふた１において、該便ふたの表面、或いは裏面が、保護層となる有色または透明性を備えるフィルムでカバーし、該フィルムの表面に図案を形成して着せ替え便ふたを構成する。【選択図】図１
0003151896.tif 000002
【実用新案登録請求の範囲】
【請求項１】
便器に取り付け使用される便座において、該便座に２箇所の接合部で取り付けられ、前記便座の上面を覆う着脱可能な便ふたであって、該便ふたの表面、或いは裏面が、保護層となる有色または透明性を備えるフィルムを有し、該フィルムの表面に図案が形成された装飾フィルムであることを特徴とする着せ替え便ふた。
【請求項２】
便器に取り付け使用される便座において、該便座に２箇所の接合部で取り付けられ、前記便座の上面を覆う着脱可能な便ふたであって、該便ふたの表面、或いは裏面に、印刷用塗料を用いて図案が印刷された印刷層と、該印刷層の表面を保護するための透明性を有するシート、或いは透明塗料から成る保護層を有することを特徴とする着せ替え便ふた。
【請求項３】
前記装飾フィルム、或いは前記保護層と前記印刷層と、が前記便ふたの表面或いは裏面に一体成形されていることを特徴とする請求項１または請求項２記載の着せ替え便ふた。
【請求項４】
前記便ふたであって、前記便ふたの色を任意に選択できることを特徴とする請求項１乃至請求項３いずれか記載の着せ替え便ふた。
【考案の詳細な説明】
【技術分野】
【０００１】
本考案は、水洗トイレ用の温水洗浄便座付属の着せ替え便ふたに関する。
【背景技術】
【０００２】
従来、家庭や企業のトイレで使用されている便器の色は、製造メーカが提供する僅かなカラーバリエーションの中から選択して使用されている。家を新築、或いはリフォームする際に、外観や家具などにこだわりを持って個性的な色や形を選ぶ人であっても、水洗トイレの便器の色やデザインはメーカ提供の製品の中から選択し使用している。また、店舗や企業では、衛生面や清潔感を第一に考え白色を選択するケースが殆どである。しかし、一般の人々のトイレ空間に対する認識は癒しの空間であったり、人に自慢したい空間であったりで、カラフルな便座カバーや小物を揃えて個性を演出する場となっている。また、公共トイレでは使用上の注意をドアや壁に貼り付けて公共のマナーを呼びかけたりしている。
【０００３】
トイレを個性的な空間に演出するために、例えば、特許文献１、特許文献２、または非特許文献１に開示されているように、便座付属の便ふたや、陶器製の便器の下にデザインを凝らしたカバーを取り付けて個性的なトイレ空間を実現する方法が紹介されている。例えば、図５に示すように、従来の便座用のカバーとして便ふた１の上面に布製の便ふたカバー４を取り付けて個性を演出する製品が紹介されている。
【０００４】
また、製造メーカでも、有名デザイナーとの共同制作と称して「ＮＥＯＲＥＳＴコレクション」（登録商標）と呼ばれる、温水洗浄便座付属の便ふたと取り替えるためのカラー便ふたを発売して個人や企業に対しトイレ空間の個性的な演出を提案している。
【先行技術文献】
【特許文献】
【０００５】
【特許文献１】特開２０００−３３３８７９号公報
【特許文献２】特開２００２−１７６１２号公報
【非特許文献】
【０００６】
【非特許文献１】ＴＯＴＯトイレアクセサリーカタログ２００９年１月、Ｐ１〜１３
【考案の概要】
【考案が解決しようとする課題】
【０００７】
上記した、家庭や企業で使用されている水洗トイレの便器３は、一般的に没個性的な製造メーカ提供の製品である。そのため上述した特許文献１、非特許文献１で紹介した便座用の便ふたカバー４や製造メーカ提供のカラー便ふた１を利用して、個人或いは企業として他との差別化を図っている。
【０００８】
しかし、個人店舗や企業にとって便ふたも宣伝の媒体であり、他との差別化を図ることで客に対しアピールできる空間を有していながら利用されることが少ない。特に女性をターゲットとした美容室や衣料品店或いは飲食店等では、女性客の印象次第でその売り上げに多大な影響を与えており、とりわけトイレの印象は重要な要素となっていることからも利用価値は非常に高いと考えられる。清潔で個性的なその店独自のデザイン性を備え、つかの間、女性をゴージャスな気分にさせるトイレ空間を演出することで女性の感性に訴え再び来店して貰える確率を高める工夫をすることは、劇場やデパート等の女性用トイレの豪華さを見れば納得できる。
【０００９】
また、図５で示した布製の便ふたカバー４では、衛生面での課題があるため店舗や企業では利用し難い。
【００１０】
本考案は、上記の問題点に着目し成されたもので、トイレ空間を清潔で個性的に装飾された便ふたを使用することで店舗或いは企業のイメージを記憶に残し、再び来店して貰える確率を高めて売り上げに寄与することが可能な着せ替え便ふたを提供することを目的とする。
【課題を解決するための手段】
【００１１】
よって本考案は、上記の目的を達成するため、以下（１）〜（４）の構成を備えるものである。
【００１２】
（１）便器に取り付け使用される便座において、該便座に２箇所の接合部で取り付けられ、前記便座の上面を覆う着脱可能な便ふたであって、該便ふたの表面、或いは裏面が、保護層となる有色または透明性を備えるフィルムを有し、該フィルムの表面に図案が形成された装飾フィルムであることを特徴とする着せ替え便ふた。
【００１３】
（２）便器に取り付け使用される便座において、該便座に２箇所の接合部で取り付けられ、前記便座の上面を覆う着脱可能な便ふたであって、該便ふたの表面、或いは裏面に、印刷用塗料を用いて図案が印刷された印刷層と、該印刷層の表面を保護するための透明性を有するシート、或いは透明塗料から成る保護層を有することを特徴とする着せ替え便ふた。
【００１４】
（３）前記装飾フィルム、或いは前記保護層と前記印刷層と、が前記便ふたの表面或いは裏面に一体成形されていることを特徴とする前記（１）または（２）記載の着せ替え便ふた。
【００１５】
（４）前記便ふたであって、前記便ふたの色を任意に選択できることを特徴とする前記（１）乃至（３）いずれか記載の着せ替え便ふた。
【考案の効果】
【００１６】
本考案によれば、水洗トイレ用便座に装飾された着せ替え便ふた１を取付けることで、個人には自分だけの便ふた１を取り付けて個性的なトイレ空間を提供する。また、店舗や企業に対しては便ふた１を広告や宣伝の媒体として最大限有効に活用して、利用客の記憶に残るトイレ空間を演出する装飾された着せ替え便ふた１を提供する。特に女性をターゲットとした美容室や衣料品店或いは飲食店等では、女性客の印象次第でその売り上げに多大な影響を与えることは周知のことであり、とりわけトイレ空間の印象は重要な要素となっている。
【００１７】
そのために清潔で個性的なデザイン性に富んだトイレ空間を演出するための装飾された着せ替え便ふたを提供することを目的とする。
【図面の簡単な説明】
【００１８】
【図１】実施例１に係る着せ替え便ふたを取り付けた便器の平面図と側面図
【図２】実施例１に係る着せ替え便ふたの便座からの着脱方法を示す図
【図３】実施例１に係る着せ替え便ふたに印刷される図柄の例
【図４】実施例１に係る着せ替え便ふたに印刷される図柄の構成図
【図５】従来の便ふたカバーの例
【考案を実施するための形態】
【００１９】
以下、本考案を実施するための形態を、実施例により詳しく説明する。
【実施例１】
【００２０】
図１は、実施例１に係る着せ替え便ふたを取り付けた便器の平面図と側面図で、図１（ａ）は便器の平面図であり、図１（ｂ）は便器の側面図である。１は便座付属の装飾された着せ替え便ふたであり、該着せ替え便ふた本体の色だけでなく表面や裏面に図柄や文字を印刷して個性を演出する。２は貯水タンクや洗浄用加圧ポンプ及びお尻専用の洗浄ノズル機構といった温水洗浄の機能を集約した便座である。３は陶器製の便器で、この上部にお尻を洗浄する機能等を備えた温水洗浄便座２が取り付けられる。
【００２１】
図２は、２箇所の接合部で便座２に取り付けられている便ふた１の着脱方法を示す図である。図に示す１ａは、便ふた１の便座２との接合部である右側のヒンジカバーに付いているスライドロックである。２ａは、便座２と便ふた１を接合するヒンジピンである。便ふた１を垂直に持ち上げて、指でスライドロック１ａを右方向に押し広げることで便座２の右側のヒンジピン２ａが通る隙間が確保され、その状態で便ふた１を左上方に傾けながら持ち上げると便ふた１を便座２より取り外すことができる。取り付けの際は、左側のヒンジカバーを最初に便座２の左側の接合部のヒンジピン２ａに取り付けた後、右側のヒンジカバーに付いているスライドロック１ａを右方向にスライドさせ便座２の右側の接合部のヒンジピン２ａに取り付ければ作業は完了する。
【００２２】
図３は、本考案に係る着せ替え便ふた１の表面と裏面に印刷される装飾用の模様や図柄と文字の例である。トイレ空間を個性的に演出し、店舗或いは企業のイメージを記憶に残し、顧客に再び来店して貰える確率を高めるための工夫である。図３（ａ）、（ｂ）、（ｃ）は便ふた１の表面に店舗のロゴや電話番号、メールアドレス等の店舗の宣伝を印刷したり、装飾用の絵画等を印刷することで利用客に強い印象を与える効果が期待できる。そのため、装飾用の模様や図案及び文字などのサンプルを載せたカタログなどを予め作成し、顧客のイメージや希望にかなう着せ替え便ふた１の装飾を提供する。また、図３（ｄ）に示すように着せ替え便ふた１の裏面には使用マナーを伝える図案化した文字を載せることもできる。
【００２３】
また、提供する着せ替え便ふた１の色は、利用客に予期しない驚きを与えるという目的もあり、通常の白色やベージュ色等のメーカ提供の色のままではなく、店舗の雰囲気に合わせた濃いブルーやグリーン或いはピンクといったカラフルな色彩を持つ着せ替え便ふた１を使用する。その結果、利用客に予期しない驚きを与えることで店舗に対する強い印象を残す効果が期待できる。トイレ空間の個性的な演出で店舗或いは企業のイメージが記憶に残っていれば、利用客が後で思い出した時に、他の店舗とは違う差別化された印象を持たせることが可能であり、再度来店して貰える確率は高くなる。また、個人の住宅の場合は、自分で撮影した風景写真や動物、或いは好きな絵を選択して自分だけのオリジナルな着せ替え便ふた１を提供できれば、差別化を図ることも可能である。
【００２４】
図４（ａ）は、本考案の着せ替え便ふた１の保護層となる有色或いは透明のフィルムの表面に装飾用の模様や図柄及び文字が印刷され、便ふた１をラッピングし加熱圧着する装飾フィルム１ｂを示す図である。図４（ｂ）は、本考案の着せ替え便ふた１に印刷される装飾用の模様や図柄及び文字からなる印刷層１ｄと保護層１ｃとの層構成を示す図である。
【００２５】
図４（ａ）は、個人の好みや企業イメージに合わせて装飾フィルム１ｂに使用するフィルムの色を決めて、選択したフィルムの表面に企業のロゴマークや図柄、文字からなる装飾を印刷する。印刷された装飾フィルム１ｂを便座に付属しているオリジナルの便ふた１の表面及び裏面をラッピングして加熱圧着を施し一体成形する。
【００２６】
図４（ｂ）は個人の好みや企業イメージに合わせて着せ替え便ふた１の色を決めて、選択した便ふた表面及び裏面に企業のロゴマークや図柄、文字からなる装飾を施した印刷層１ｄを印刷用塗料で形成し、その上に透明フィルムやクリヤー塗料等の保護層１ｃを形成して印刷層１ｄの剥離を防止するための加熱圧着処理等を施し一体成形する。なお、着せ替え便ふた１に装飾用の模様や図柄及び文字を印刷する印刷層１ｄの形成方法は、感光塗料を便ふた上に直接塗って写真感光させる写真印刷、シルクスクリーン印刷、或いはオフセット印刷等の方法がある。
【００２７】
上記の装飾フィルム１ｂ及び保護層１ｃで使用されるフィルムは、熱を加えると接着機能を有するフィルムで、便ふた１をラッピングし加熱圧着されることにより高い耐久性が確保できる。また、従来の布製の便ふたカバー４（図５）の課題であった衛生面においても、着せ替え便ふた１の滑らかな表面は拭き掃除だけで簡単に清潔な状態を維持できる。
【００２８】
また、図４（ａ）に示す有色或いは透明のフィルムに直接図柄を印刷した装飾フィルム１ｂをオリジナルの便ふた１に貼り付ける方法は、交換用の便ふた１を必要とせず、コスト面でも作業性の点でもより費用対効果の高い製品を提供できる。
【００２９】
従って着せ替え便ふた１に図案を形成する方法は一様ではないため、図４に示した装飾フィルム１ｂを用いた方法、或いは印刷層１ｄと保護層１ｃからなる形成方法は本考案を最も良く説明するためのものであって、本考案を制限するものではない。
【００３０】
以上説明したように本考案では、装飾された着せ替え便ふたによりトイレ空間を個性的に演出し、店舗或いは企業のイメージを予期しない驚きで利用客の記憶に残し、強い印象を与えた効果により、顧客に再び来店して貰える可能性を高める便ふたを提供することができる。
【符号の説明】
【００３１】
１    便ふた
１ａ  スライドロック
１ｂ  装飾フィルム
１ｃ  保護層
１ｄ  印刷層
２    便座
２ａ  ヒンジピン（接合部に対応）
３    便器
４    便ふたカバー
【図１】
0003151896.tif 000003
【図２】
0003151896.tif 000004
【図３】
0003151896.tif 000005
【図４】
0003151896.tif 000006
【図５】
0003151896.tif 000007